(57)【要約】【課題】便器本体の導水路の圧力損失による水位変化量を精度良く検出し、貯水タンクから排出される洗浄水の水量を便器本体の製造誤差によらずに均一する水洗大便器を提供すること。【解決手段】制御手段１３０が、排水弁駆動機構１２３を所定時間駆動する前の貯水タンク１２０内の第一水位Ｌ１と、排水弁駆動機構１２３を所定時間駆動して洗浄水を排出した後に水位検出機構１２４により測定された貯水タンク１２０内の第二水位Ｌ２とに基づいた水位変化量により排水弁駆動機構１２３の駆動時間または駆動態様を調整する排水弁駆動機構制御部１３２を少なくとも備えていることを特徴とする水洗大便器１００。【選択図】図３
2015183431.tif 000002
【特許請求の範囲】
【請求項１】
便器本体と、該便器本体を洗浄する洗浄水を貯水する貯水タンクと、該貯水タンクへの給水および排水を制御する制御手段とを備えた水洗大便器において、
前記便器本体が、前記貯水タンクから供給された洗浄水を導く導水路と、該導水路に接続された吐水口を有するボウル部とを備え、
前記貯水タンクが、該貯水タンクの底部に設けられ該貯水タンク内の洗浄水を前記導水路に供給する排水口と、該排水口を開閉する排水弁と、該排水弁を駆動する排水弁駆動機構と、前記貯水タンク内の水位を検出する水位検出機構とを備え、
前記制御手段が、前記排水弁駆動機構を所定時間駆動する前の前記貯水タンク内の第一水位と、前記排水弁駆動機構を所定時間駆動して洗浄水を排出した後に前記水位検出機構により測定された前記貯水タンク内の第二水位とに基づいた水位変化量により前記排水弁駆動機構の駆動時間または駆動態様を調整する排水弁駆動機構制御部を備えていることを特徴とする水洗大便器。
【請求項２】
前記第一水位が、前記水位検出機構により測定された水位であることを特徴とする請求項１記載の水洗大便器。
【請求項３】
前記第一水位が、通常洗浄時における初期水位であることを特徴とする請求項１または請求項２記載の水洗大便器。
【請求項４】
前記貯水タンクが、給水源から前記貯水タンク内に洗浄水を供給し前記制御手段によって制御される給水機構を備え、
前記制御手段が、前記給水機構を制御する給水機構制御部をさらに備え、
前記制御手段が前記排水弁駆動機構の駆動時間または駆動態様を調整している間において、前記給水機構制御部が、前記給水機構による前記貯水タンク内への洗浄水供給を禁止することを特徴とする請求項１乃至請求項３のいずれか１つに記載の水洗大便器。
【発明の詳細な説明】
【技術分野】
【０００１】
本発明は、便器本体と貯水タンクとを備えた水洗大便器に関する。
【背景技術】
【０００２】
従来から、貯水タンクに貯水した洗浄水により便器本体のボウル部を洗浄し、排せつ物を排出するタンク式の水洗大便器として、貯水タンク内の洗浄水が便器本体の導水路を通過し、便器本体の吐水口からボウル部に供給されるものが知られている。
【０００３】
このような水洗大便器においては、便器本体の導水路が陶器で形成されているため、製造誤差が生じてしまい、導水路の圧力損失が変動する。
よって、貯水タンクの底面の排出口から排出される洗浄水の瞬間流量について個体差が存在していた。
【０００４】
貯水タンクの底面の排出口から排出される洗浄水の瞬間流量に個体差が存在していると、貯水タンクから排出される洗浄水の水量に個体差が生じてしまい、便器本体内の排せつ物を十分に洗浄できない恐れがある。
【０００５】
そこで、貯水タンク内の水位が洗浄開始前の初期水位から所定水位に低下するまでの水位低下時間を計測することで導水路の圧力損失を検出し、この圧力損失から最適な排水装置の駆動時間を決定する水洗大便器が知られている（例えば、特許文献１参照）。
【先行技術文献】
【特許文献】
【０００６】
【特許文献１】特開２０１２−１３２１６７号公報
【発明の概要】
【発明が解決しようとする課題】
【０００７】
しかしながら、前述した特許文献１に記載されている水洗大便器では、計測対象である水位低下時間の変動分が水位低下時間の基準時間に比べて遥かに小さく、便器本体の導水路の圧力損失を精度良く検出することが実質的には困難であるという問題がある。
【０００８】
そこで、本発明は、前述したような従来技術の問題を解決するものであって、すなわち、本発明の目的は、便器本体の導水路の圧力損失による水位変化量を精度良く検出し、貯水タンクから排出される洗浄水の水量を便器本体の製造誤差によらずに均一する水洗大便器を提供することである。
【課題を解決するための手段】
【０００９】
本請求項１に係る発明は、便器本体と、該便器本体を洗浄する洗浄水を貯水する貯水タンクと、該貯水タンクへの給水および排水を制御する制御手段とを備えた水洗大便器において、前記便器本体が、前記貯水タンクから供給された洗浄水を導く導水路と、該導水路に接続された吐水口を有するボウル部とを備え、前記貯水タンクが、該貯水タンクの底部に設けられ該貯水タンク内の洗浄水を前記導水路に供給する排水口と、該排水口を開閉する排水弁と、該排水弁を駆動する排水弁駆動機構と、前記貯水タンク内の水位を検出する水位検出機構とを備え、前記制御手段が、前記排水弁駆動機構を所定時間駆動する前の前記貯水タンク内の第一水位と、前記排水弁駆動機構を所定時間駆動して洗浄水を排出した後に前記水位検出機構により測定された前記貯水タンク内の第二水位とに基づいた水位変化量により前記排水弁駆動機構の駆動時間または駆動態様を調整する排水弁駆動機構制御部を少なくとも備えていることにより、前述した課題を解決するものである。
【００１０】
本請求項１に係る発明の水洗大便器によれば、水洗大便器が排水弁駆動機構を制御する制御手段を備えていることにより、貯水タンクから便器本体に供給する洗浄水の量を制御するため、洗浄水の無駄をなくすことができるばかりでなく、制御手段が、排水弁駆動機構を所定時間駆動する前の貯水タンク内の第一水位と、排水弁駆動機構を所定時間駆動して洗浄水を排出した後に水位検出機構により検出された貯水タンク内の第二水位とに基づいた水位変化量により排水弁駆動機構の駆動時間または駆動態様を調整する排水弁駆動機構制御部を少なくとも備えていることにより、基準量に対して変動量が遥かに小さい水位低下時間ではなく、基準量に対して変動量が大きい水位変化量に基づいて排水弁駆動機構制御部が排水弁駆動機構を制御するため、便器本体の導水路の圧力損失による水位変化量を精度良く検出し、貯水タンクから排出される洗浄水の水量を便器本体の製造誤差によらず均一にすることができる。
【００１１】
本請求項２に係る発明は、請求項１の構成に加えて、前記第一水位が、前記水位検出機構により測定された水位であることにより、前述した課題をさらに解決するものである。
【００１２】
本請求項２に係る発明の水洗大便器によれば、請求項１に係る発明が奏する効果に加えて、測定された第一水位を用いて排水弁駆動機構制御部が排水弁駆動機構を適切に制御するため、より正確に便器本体の導水路の圧力損失による水位変化量が検出し、貯水タンクから排出される洗浄水の水量を便器本体の製造誤差によらず均一にすることができる。
【００１３】
本請求項３に係る発明は、請求項１または請求項２記載の構成に加えて、前記第一水位が、通常洗浄時における初期水位であることにより、前述した課題をさらに解決するものである。
【００１４】
本請求項３に係る発明の水洗大便器によれば、請求項１または請求項２に係る発明が奏する効果に加えて、変動の少ない通常洗浄時における初期水位を用いて排水弁駆動機構制御部が排水弁駆動機構を適切に制御するため、より正確に便器本体の導水路の圧力損失による水位変化量を検出し、貯水タンクから排出される洗浄水の水量を便器本体の製造誤差によらず均一にすることができる。
【００１５】
本請求項４に係る発明は、請求項１乃至請求項３のいずれかに記載された構成に加えて、前記貯水タンクが、給水源から前記貯水タンク内に洗浄水を供給し前記制御手段によって制御される給水機構を備え、前記制御手段が、前記給水機構を制御する給水機構制御部をさらに備え、前記制御手段が前記排水弁駆動機構の駆動時間または駆動態様を調整している間において、前記給水機構制御部が、前記給水機構による前記貯水タンク内への洗浄水供給を禁止することにより、前述した課題をさらに解決するものである。
【００１６】
本請求項４に係る発明の水洗大便器によれば、請求項１乃至請求項３のいずれかに係る発明が奏する効果に加えて、水位変化量を測定する際の貯水タンクの水位変化量の要因を便器本体への排水のみにするため、より正確に便器本体の導水路の圧力損失による水位変化量が検出でき、貯水タンクから排出される洗浄水の水量を便器本体の製造誤差によらず均一にすることができる。
【発明の効果】
【００１７】
本発明により、洗浄水の無駄をなくすばかりでなく、便器本体の導水路の圧力損失による水位変化量を精度良く検出し、貯水タンクから排出される洗浄水の水量を便器本体の製造誤差によらず均一にすることができる。
【図面の簡単な説明】
【００１８】
【図１】本発明の第１実施形態である水洗大便器の概略図。
【図２】本発明の第１実施形態である水洗大便器の通常洗浄時のタイムチャート。
【図３】本発明の第１実施形態である水洗大便器の排水弁開弁時間設定動作における水洗大便器の概略図。
【図４】本発明の第１実施形態である水洗大便器における排水弁開弁時間設定動作フローチャート。
【図５】本発明の第１実施形態である水洗大便器における排水弁開弁時間設定動作において、基準となる水洗大便器の水位変化量と排水弁開弁設定時間との関係図。
【発明を実施するための形態】
【００１９】
以下に、図１に基づいて、本発明の第１実施形態である水洗大便器１００について説明する。
【００２０】
図１は本発明の第１実施形態である水洗大便器１００の概略図であり、本発明の本発明の第１実施形態である水洗大便器１００は、便器本体１１０と便器本体１１０に載置された貯水タンク１２０と、貯水タンク１２０への貯水および排水を制御する制御手段１３０とから構成されている。
水洗大便器１００が貯水タンク１２０への貯水および排水を制御する制御手段１３０を備えていることにより、貯水タンク１２０から便器本体１１０に供給する洗浄水の水量を制御する。
【００２１】
便器本体１１０は、便器本体１１０の前方に排せつ物を受けるボウル部１１１を有している。ボウル部１１１の上縁部には、リム１１１ａと貯水タンク１２０から供給された洗浄水を便器洗浄水Ｗｃとして吐水する吐水口１１１ｂとが形成されている。
さらに、便器本体１１０は、便器本体１１０の後方に貯水タンク１２０から供給された洗浄水を吐水口１１１ｂへと導水する導水路１１２が形成されている。
【００２２】
貯水タンク１２０は、図示されない給水源から貯水タンク１２０内に洗浄水を供給する給水機構１２５と、底面に貯水タンク１２０内に貯留された洗浄水を便器本体１１０へ供給する排水口１２１と、この排水口１２１を開閉する排水弁１２２と、この排水弁１２２の駆動する排水弁駆動機構１２３と、貯水タンク１２０内の水位を検出する水位検出機構である水位センサー１２４とから構成されている。
【００２３】
水位センサー１２４は、貯水タンク１２０内に貯水された洗浄水の水面に連動して上下に動くため、貯水タンク１２０内の貯水量に応じた水位を測定することができる。
【００２４】
制御手段１３０は、給水機構１２５を制御する給水機構制御部１３１と、水位センサー１２４により検知した貯水タンク１２０内の水位に基づいた水位変化量により排水弁駆動機構１２３を制御する排水弁駆動機構制御部１３２とから少なくとも構成されている。
【００２５】
続いて、図１および図２に基づいて、本発明の実施形態である水洗大便器１００の動作について説明する。
【００２６】
図２は、本発明の第１実施形態である水洗大便器１００の通常洗浄時のタイムチャートである。
【００２７】
時刻ｔ１において、使用者が水洗大便器１００の図示しないリモコン等を操作して便器洗浄開始信号を水洗大便器１００に送信する。
水洗大便器１００が便器洗浄開始信号を受信すると、排水弁駆動機構制御部１３２が排水弁駆動機構１２３を制御することによって、排水弁１２２が開弁する。
【００２８】
そして、時刻ｔ１から排水弁開弁時間Ｔ経過した時刻ｔ２（ｔ１＋Ｔ）まで、排水口１２１から貯水タンク１２０内の洗浄水を便器本体１１０に供給する。
【００２９】
便器本体１１０に供給された洗浄水は、導水路１１２を通り、吐水口１１１ｂから便器洗浄水Ｗｃとしてリム１１１ａに吐水される。
【００３０】
リム１１１ａに供給された便器洗浄水Ｗｃは、ボウル部１１１内を旋回しながら下降することにより、ボウル部１１１内を洗浄する。
【００３１】
ボウル部１１１内洗浄後も吐水口１１１ｂからの吐水は継続され、便器洗浄水Ｗｃがボウル部１１１内に溜水Ｗとして貯留される。
【００３２】
さらに、時刻ｔ２（ｔ１＋Ｔ）において、排水弁駆動機構制御部１３２が排水弁駆動機構１２３を制御することによって、排水弁１２２が閉弁する。
なお、このときの貯水タンク１２０内の水位を止水水位ＥＷＬとする。
【００３３】
その後、時刻ｔ３において、給水機構制御部１３１が給水機構１２５を制御することによって、貯水タンク１２０への洗浄水の供給を開始し、貯水タンク１２０内の水位が初期水位ＳＷＬになった時刻ｔ４において、貯水タンク１２０への洗浄水の供給を停止する。
【００３４】
なお、本発明の第一実施形態である水洗大便器１００の通常洗浄時において、貯水タンク１２０への給水は排水弁１２２の閉弁後に限定されるものではなく、便器洗浄開始信号を水洗大便器１００が受信した後であれば如何なる時でもよい。
【００３５】
続いて、図３乃至図５に基づいて、本発明の第一実施形態による水洗大便器１００の制御手段１３０による排水弁開弁時間設定動作について説明する。
【００３６】
図３は、本発明の第１実施形態である水洗大便器１００の排水弁開弁時間設定動作における水洗大便器１００の概略図であり、図４は、本発明の第１実施形態である水洗大便器１００における排水弁開弁時間設定動作フローチャートである。
【００３７】
まず、水洗大便器１００が所定の場所に設置され、施工が完了すると、使用者が水洗大便器１００の図示しないリモコン等を操作して排水弁開弁時間設定信号を水洗大便器１００に送信する。
水洗大便器１００が排水弁開弁時間設定信号を受信すると、排水弁開弁時間設定動作を開始する。
【００３８】
排水弁開弁時間設定動作を開始すると、ステップＳ１において、水位センサー１２４を用いて、貯水タンク１２０内の第一水位Ｌ１を測定する。
【００３９】
次いで、ステップＳ２において、排水弁駆動機構制御部１３２が排水弁駆動機構１２３を制御し、排水弁１２２を引き上げる。排水弁１２２が開弁されることで、排水口１２１を開き、貯水タンク１２０内の洗浄水を排出する。
なお、排水弁１２２を引き上げたときから排水弁開弁経過時間Ｔｍを計時開始する。
【００４０】
次いで、ステップＳ３において、排水弁開弁経過時間Ｔｍが予め定められた排水弁開弁設定時間Ｔ０を経過したか否かを判断する。
排水弁開弁経過時間Ｔｍが排水弁開弁測定時間Ｔ０以上経過した場合、ステップＳ４に進み、排水弁開弁経過時間Ｔｍが排水弁開弁測定時間Ｔ０以上経過していない場合、排水弁開弁経過時間Ｔｍが排水弁開弁測定時間Ｔ０以上経過するまで排水弁１２２の状態を保つ。
なお、排水弁開弁測定時間Ｔ０は圧損の小さい水洗大便器を考慮して、通常洗浄時の排水弁開弁時間Ｔより短くする。
【００４１】
次いで、ステップＳ４において、排水弁駆動機構制御部１３２が排水弁駆動機構１２３を制御し、排水弁１２２を下げる。排水弁１２２が閉弁されることにより、排水口１２１を閉じる。
【００４２】
次いで、ステップＳ５において、水位センサー１２４を用いて、排水弁１２２の閉弁時の貯水タンク１２０内の第二水位Ｌ２を測定する。
【００４３】
次いで、ステップＳ６において、第一水位Ｌ１と第二水位Ｌ２との差をとり、水位変化量ΔＬを算出する。
【００４４】
次いで、ステップＳ７において、図５に示すような事前に準備しておいた水洗大便器の水位変化量ΔＬと排水弁開弁時間Ｔとの関係より、今回の得られたΔＬに対応する排水弁開弁時間Ｔを設定する。
【００４５】
たとえば、水位変化量ΔＬが基準となる水洗大便器の水位変化量ΔＬｓより大きいΔＬ２の場合、基準となる水洗大便器に比べて圧力損失が大きいと判断され、排水弁開弁時間Ｔは基準となる水洗大便器の排水弁開弁時間Ｔｓより短いＴ２となる。
また、水位変化量ΔＬが基準となる水洗大便器の水位変化量ΔＬｓより小さいΔＬ１の場合、基準となる水洗大便器に比べて圧力損失が小さいと判断され、排水弁開弁時間Ｔは基準となる水洗大便器の排水弁開弁時間Ｔｓより長いＴ１となる。
【００４６】
また、図５に示すような事前に準備しておいた水洗大便器の水位変化量ΔＬと排水弁開弁時間Ｔとの関係は次のように作成する。
まず、製造上許容される圧損が最大の水洗大便器である圧損最大大便器Ｍと、製造上許容される圧損が最小の水洗大便器である圧損最小大便器ｍとを用意する。
そして、圧損最大大便器Ｍと圧損最小大便器ｍとについて、排水弁開弁測定時間Ｔ０における、水位変化量ΔＬｍａｘ、ΔＬｍｉｎを測定する。
次に、圧損最大大便器Ｍと圧損最小大便器ｍとについて、狙いの洗浄水量まで水位が低下するまでの排水弁開弁時間Ｔｍａｘ、Ｔｍｉｎを測定する。
得られたΔＬｍａｘとＴｍａｘ、ΔＬｍｉｎとＴｍｉｎより、図５に示すような水洗大便器の水位変化量ΔＬと排水弁開弁時間Ｔとの関係が得られる。
【００４７】
次いで、ステップＳ８において、給水機構制御部１３１が給水機構１２５を制御することによって、貯水タンク１２０への洗浄水の供給を開始し、貯水タンク１２０内の水位が初期水位ＳＷＬになったことを水位センサー１２４が検出した後、貯水タンク１２０への洗浄水の供給を停止し、排水弁開弁時間設定動作を終了する。
【００４８】
以上によって、制御手段１３０が、排水弁駆動機構１２３を所定時間駆動する前の貯水タンク１２０内の第一水位と、排水弁駆動機構１２３を所定時間駆動して洗浄水を排出した後に水位センサー１２４により測定された貯水タンク１２０内の第二水位Ｌ２とに基づいた水位変化量ΔＬにより排水弁駆動機構１２３の駆動時間または駆動態様を調整する排水弁駆動機構制御部１３２を備えていることにより、基準量に対して変動量が遥かに小さい水位低下時間ではなく、基準量に対して変動量が大きい水位変化量ΔＬに基づいて排水弁駆動機構制御部１３２が排水弁駆動機構１２３を制御する。
【００４９】
なお、第一水位Ｌ１として、水位センサー１２４により測定された水位を用いる。第一水位Ｌ１が、水位センサー１２４により測定された水位であることにより、測定された第一水位Ｌ１を用いて排水弁駆動機構制御部１３２が排水弁駆動機構１２３を適切に制御する。
【００５０】
さらに、第一水位Ｌ１として、通常洗浄時における初期水位ＳＷＬを用いる。第一水位Ｌ１が通常洗浄時における初期水位ＳＷＬであることより、変動の少ない初期水位ＳＷＬを用いて排水弁駆動機構制御部１３２が排水弁駆動機構１２３を適切に制御する。
【００５１】
また、第二水位Ｌ２として、通常使用時における止水水位ＥＷＬよりも高い水位を用いる。
第二水位Ｌ２が止水水位ＥＷＬよりも高いことにより、圧力損失が小さい水洗大便器１００においても第二水位Ｌ２が止水水位ＥＷＬ以下にならないため、より正確に便器本体１１０の導水路１１２の圧力損失による水位変化量ΔＬが検出でき、貯水タンク１２０から排出される洗浄水の水量を便器本体１１０の製造誤差によらず均一にすることができる。
【００５２】
さらに、制御手段１３０が排水弁駆動機構１２３の駆動時間を調整している間において、給水機構制御部１３１が給水機構１２５による貯水タンク１２０内への洗浄水供給を禁止している。
これにより、水位変化量を測定する際の貯水タンク１２０の水位変化量の要因を便器本体１１０への排水のみにする。
【００５３】
しかし、給水機構１２５から貯水タンク１２０内へ供給される洗浄水の流量のバラつきは少ないことから、制御手段１３０が排水弁駆動機構１２３の駆動時間を調整している間において、給水機構制御部１３１が給水機構１２５による貯水タンク１２０内への洗浄水を供給してもよい。
【００５４】
また、本発明の第一実施形態である水洗大便器１００の排水弁開弁時間設定動作においては、排水弁開弁経過時間Ｔｍが排水弁開弁測定時間Ｔ０以上経過したことを判定した後に、排水弁１２２を閉弁して第二水位Ｌ２を測定しているが、排水弁１２２を閉弁せずに第二水位Ｌ２を測定してもよい。
【００５５】
このようにして得られた本発明の第１実施形態である水洗大便器１００は、排水弁駆動機構１２３を制御する制御手段１３０を備えていることにより、洗浄水の無駄をなくすことができるばかりでなく、制御手段１３０が、排水弁駆動機構１２３を所定時間駆動する前の貯水タンク１２０内の第一水位と、排水弁駆動機構１２３を所定時間駆動して洗浄水を排出した後に水位検出機構である水位センサー１２４により測定された貯水タンク１２０内の第二水位Ｌ２とに基づいた水位変化量ΔＬにより排水弁駆動機構１２３の駆動時間または駆動態様を調整する排水弁駆動機構制御部１３２を少なくとも備えていることにより、便器本体１１０の導水路１１２の圧力損失による水位変化量ΔＬを精度良く検出し、貯水タンク１２０から排出される洗浄水の水量を便器本体１１０の製造誤差によらず均一にすることができる。
【００５６】
さらに、第一水位Ｌ１が、水位センサー１２４により測定された水位であることにより、より正確に便器本体１１０の導水路１１２の圧力損失による水位変化量ΔＬを検出し、貯水タンク１２０から排出される洗浄水の水量を便器本体１１０の製造誤差によらず均一にすることができる。
【００５７】
さらに、第一水位Ｌ１が通常洗浄時における初期水位ＳＷＬであることにより、より正確に便器本体１１０の導水路１１２の圧力損失による水位変化量ΔＬを検出し、貯水タンク１２０から排出される洗浄水の水量を便器本体１１０の製造誤差によらず均一にすることができる。
【００５８】
さらに、貯水タンク１２０が、図示されない給水源から貯水タンク１２０内に洗浄水を供給し制御手段１３０によって制御される給水機構１２５を備え、制御手段１３０が、給水機構１２５を制御する給水機構制御部１３１をさらに備え、制御手段１３０が排水弁駆動機構１２３の駆動時間または駆動態様を調整している間において、給水機構制御部１３１が、給水機構１２５による貯水タンク１２０内への洗浄水供給を禁止することにより、より正確に便器本体１１０の導水路１１２の圧力損失による水位変化量ΔＬが検出でき、貯水タンク１２０から排出される洗浄水の水量を便器本体１１０の製造誤差によらず均一にすることができる。
【００５９】
本発明は、便器本体と、該便器本体を洗浄する洗浄水を貯水する貯水タンクと、該貯水タンクへの給水および排水を制御する制御手段とを備えた水洗大便器において、前記便器本体が、前記貯水タンクから供給された洗浄水を導く導水路と、該導水路に接続された吐水口を有するボウル部とを備え、前記貯水タンクが、該貯水タンクの底部に設けられ該貯水タンク内の洗浄水を前記導水路に供給する排水口と、該排水口を開閉する排水弁と、該排水弁を駆動する排水弁駆動機構と、前記貯水タンク内の水位を検出する水位検出機構とを備え、前記制御手段が、前記排水弁駆動機構を所定時間駆動する前の前記貯水タンク内の第一水位と、前記排水弁駆動機構を所定時間駆動して洗浄水を排出した後に前記水位検出機構により検出された前記貯水タンク内の第二水位とに基づいた水位変化量により前記排水弁駆動機構の駆動時間または駆動態様を調整する排水弁駆動機構制御部を備えており、洗浄水の無駄をなくすばかりでなく、便器本体の導水路の圧力損失による水位変化量を精度良く検出し、貯水タンクから排出される洗浄水の水量を便器本体の製造誤差によらず均一にすることができるものであれば、その具体的な実施態様は、如何なるものであっても構わない。
【００６０】
例えば、水洗大便器の洗浄方式は、洗い落とし式であってもよいし、サイホンゼット式であってもよい。
また、水位検出機構は、貯水タンク内の貯水量に応じた水位を検出できればよく、圧力センサーで貯水圧を計測することによって水位を検出してもよいし、水位面を超音波またはレーザーで検出してもよい。
また、排水弁開放時間設定動作は、設置時に限定されるものでなく、使用時において定期的におこなってもよいし、使用者が指示をしてもよい。
また、排水弁駆動機構は、排水弁の駆動時間のみならず、排水弁の開度を制御してもよい。
また、第一水位は予め定められた水位であってもよい。
【符号の説明】
【００６１】
１００              ・・・  水洗大便器
１１０              ・・・  便器本体
１１１              ・・・  ボウル部
１１１ａ            ・・・  リム
１１１ｂ            ・・・  吐水口
１１２              ・・・  導水路
１２０              ・・・  貯水タンク
１２１              ・・・  排水口
１２２              ・・・  排水弁
１２３              ・・・  排水弁駆動機構
１２４              ・・・  水位センサー（水位検出機構）
１２５              ・・・  給水機構
１３０              ・・・  制御手段
１３１              ・・・  給水機構制御部
１３２              ・・・  排水弁駆動機構制御部
Ｌ１                ・・・  第一水位
Ｌ２                ・・・  第二水位
Ｍ                  ・・・  圧損最大大便器
ｍ                  ・・・  圧損最小大便器
ＳＷＬ              ・・・  初期水位
ＥＷＬ              ・・・  止水水位
Ｔ                  ・・・  排水弁開弁時間
Ｔｍ                ・・・  排水弁開弁経過時間
Ｔ０                ・・・  排水弁開弁測定時間
Ｗ                  ・・・  溜水
Ｗｃ                ・・・  便器洗浄水
ΔＬ                ・・・  水位変化量
ΔＬｓ              ・・・  基準となる水洗大便器の水位変化量
ΔＴｓ              ・・・  基準となる水洗大便器の排水弁開弁時間
【図１】
2015183431.tif 000003
【図２】
2015183431.tif 000004
【図３】
2015183431.tif 000005
【図４】
2015183431.tif 000006
【図５】
2015183431.tif 000007